(57)【要約】【課題】  電気機器の着脱操作を容易にすると共に小型化を図る。【解決手段】  ディスクドライブ装置２を支持するスタンド装置５であって、ディスクドライブ装置２の筐体の一部を挟み込むように支持する支持溝６７内に、ディスクドライブ装置２のコネクタ２４に接続されるプラグ７４とを備える。そして、プラグ７４は、移動部材７５に設けられ、移動部材は、ディスクドライブ装置２を支持溝６７より取り外すとき移動し、コネクタ２４やプラグ７４に対する負荷を小さくする。【選択図】  図５
2005135492.tif 000002
【特許請求の範囲】
【請求項１】
筐体の側面に電気接続部が設けられた電子機器を支持するスタンド装置であって、
上記電気機器の筐体の一部を挟み込むように支持する支持溝と、
上記支持溝内に設けられ、上記電気機器の電気接続部に接続される電気接続部とを備え、
上記支持溝の電気接続部は、上記電気機器の電気接続部に電気的に接続される接続部材と、この接続部材が設けられる移動部材と、上記移動部材が上記電気機器の挿入方向に移動可能に取り付けられる取付部とを有するスタンド装置。
【請求項２】
上記取付部には、上記移動部材の係合段部が係合する係合凹部が設けられている請求項１記載のスタンド装置。
【請求項３】
上記移動部材には、規制片が設けられ、この規制片は、上記取付部に設けられた規制突部に突き当たることによって、上記移動部材の支持溝に支持された電気機器の厚さ方向への変位を規制する請求項１記載のスタンド装置。
【請求項４】
上記取付部には、上記移動部材を押し上げる押し上げ部材が設けられている請求項１記載のスタンド装置。
【請求項５】
記録媒体の記録及び／又は再生をすると共に、電気接続部が設けられたドライブ部と、
上記ドライブ部の電気接続部と接続される電気接続部が設けられると共に、外部と情報信号の送受信を行う端子部が設けられたスタンド部とを備え、
上記スタンド部は、上記ドライブ部の一部を挟み込むように支持する支持溝を有し、上記支持溝内に、上記ドライブ部の電気接続部に接続される上記電気接続部が設けられ、
上記スタンド部の電気接続部は、上記ドライブ部の電気接続部に電気的に接続される接続部材と、この接続部材が設けられる移動部材と、上記移動部材が上記ドライブ部の挿入方向に移動可能に取り付けられる取付部とを有する記録及び／又は再生装置。
【請求項６】
上記取付部には、上記移動部材の係合段部が係合する係合凹部が設けられている請求項５記載の記録及び／又は再生装置。
【請求項７】
上記移動部材には、規制片が設けられ、この規制片は、上記取付部に設けられた規制突部に突き当たることによって、上記移動部材の支持溝に支持された電気機器の厚さ方向への変位を規制する請求項５記載の記録及び／又は再生装置。
【請求項８】
上記取付部には、上記移動部材を押し上げる押し上げ部材が設けられている請求項５記載の記録及び／又は再生装置。
【発明の詳細な説明】
【技術分野】
【０００１】
本発明は、電気機器を支持するスタンド装置及び記録及び／又は再生装置に関する。
【背景技術】
【０００２】
特許文献１に示すように、映像信号、音声信号等の情報信号を記録したディジタル・バーサタイル・ディスク等の光ディスクの再生をする携帯型のディスクドライブ装置、このディスクドライブ装置に接続されて、ディスクドライブ装置で再生された映像信号等を表示すると共に操作部が設けられた表示装置、ディスクドライブ装置や表示装置に電力を供給する充電型の電源装置、テレビジョン受像器等のモニタにディスクドライブ装置で再生した情報信号を出力するための出力アダプタ等を備えたシステムがある。このシステムは、屋内で使用するとき、電源装置や出力アダプタをディスクドライブにコネクタ接続してからディスクドライブ装置をスタンド装置に設置し、出力アダプタとテレビジョン受像器等のモニタを接続することによって、光ディスクに記録されたコンテンツをディスクドライブ装置で再生してモニタで楽しむことができる。
【０００３】
また、このシステムでは、ディスクドライブ装置に電源装置を取り付け、更に、ディスクドライブ装置に表示装置を接続することによって、これらの装置を持ち運んで、屋外で光ディスクに記録されたコンテンツを楽しむことができる。このときには、上述した出力アダプタは不要であり、ディスクドライブ装置から取り外されている。
【０００４】
このシステムでは、屋外の仕様から屋内の仕様に変更するとき、ディスクドライブ装置と出力アダプタとをコネクタ接続してから、ディスクドライブ装置をスタンド装置に設置する必要があり、作業が面倒である。すなわち、ディスクドライブ装置のスタンド装置への設置作業と出力アダプタとディスクドライブ装置とのコネクタ接続作業を同時に行うことができず、面倒である。
【０００５】
また、屋内の仕様から屋外の仕様に変更するとき、スタンド装置からディスクドライブ装置を外した後、更に、出力アダプタのプラグをディスクドライブ装置から取り外す必要があり、作業が面倒である。
【０００６】
以上のような問題点を解決する手段として、図１０に示すような構成にすることができる。すなわち、このシステムでは、スタンド装置１０１に、出力アダプタを内蔵し、スタンド装置１０１のジャック１０２にテレビジョン受像器等のモニタに接続された接続端子１０３を接続し、更に、スタンド装置１０１のディスクドライブ装置１０４を支持する支持溝１０５にディスクドライブ装置１０４に接続されるプラグ１０６を設けるようにすることができる。この場合、ディスクドライブ装置１０４で再生された情報信号は、ディスクドライブ装置１０４のレセプタクル１０７に接続された支持溝１０５のプラグ１０６を介してジャック１０２に接続された接続端子１０３よりテレビジョン受像器等のモニタに出力されることになる。このシステムでは、ディスクドライブ装置１０４の着脱で、スタンド装置１０１に内蔵された出力アダプタとの接続が可能となり、上述のように、出力アダプタの着脱が不要となり、操作性の向上を図ることができる。
【０００７】
図１０に示すように、スタンド１０１からディスクドライブ装置１０４を取り外すとき、通常、ディスクドライブ装置１０４は、ユーザによって、支持溝１０５の端部である支持部１０５ａを回動支点として図１０中矢印Ａ方向に回動される。これによって、スタンド装置１０１の支持溝１０５に設けられているプラグ１０６もディスクドライブ装置１０４のレセプタクル１０７から離脱することになる。しかしながら、ディスクドライブ装置１０４を図１０中矢印Ａ方向に回動するとき、レセプタクル１０７も同方向の軌跡を描くことになる。したがって、レセプタクル１０７に対するプラグ１０６の着脱は、レセプタクル１０７に対して垂直方向から行われるのではなく、斜めの方向から行われることになり、プラグ１０６又はレセプタクル１０７に過度の負荷が加わり、プラグ１０６又はレセプタクル１０７が破損してしまうことがある。
【０００８】
ディスクドライブ装置１０４の着脱の際のプラグ１０６やレセプタクル１０７に対する過大な負荷を小さくする手段としては、図１１に示すように、プラグ１０６とレセプタクル１０７の接続部分とディスクドライブ装置１０４の着脱を行うときの回動支点との距離を離し、スタンド装置１０１のプラグ１０６に対するレセプタクル１０７の傾きが小さくなるようにすればよい。すなわち、図１１に示すように、ディスクドライブ装置１０４を、図１０の場合より更に外側の支持部１０５で支持するようにすればよい。この場合、ディスクドライブ装置１０４は、支持部１０５ａを回動支点として図１１中矢印Ａ方向及び反矢印Ｂ方向に回動される。しかしながら、この例では、プラグ１０６とレセプタクル１０７の接続部分とディスクドライブ装置１０４の着脱を行うときの回動支点との距離が離れるに従って、スタンド１０１も大型化してしまう。
【０００９】
【特許文献１】特開２００２−３５２５７４
【発明の開示】
【発明が解決しようとする課題】
【００１０】
本発明は、以上のような問題点に鑑みてなされたものであり、その目的は、電気接続部の保護を図りつつ小型化を図ることができるスタンド装置及びこのスタンド装置を備えた記録及び／又は再生装置を提供することにある。
【課題を解決するための手段】
【００１１】
本発明に係るスタンド装置は、筐体の側面に電気接続部が設けられた電子機器を支持するスタンド装置であり、上記電気機器の筐体の一部を挟み込むように支持する支持溝と、上記支持溝内に設けられ、上記電気機器の電気接続部に接続される電気接続部とを備える。そして、上記支持溝の電気接続部は、上記電気機器の電気接続部に電気的に接続される接続部材と、この接続部材が設けられる移動部材と、上記移動部材が上記電気機器の挿入方向に移動可能に取り付けられる取付部とを有する。
【００１２】
また、本発明に係る記録及び／又は再生装置は、記録媒体の記録及び／又は再生をすると共に、電気接続部が設けられたドライブ部と、上記ドライブ部の電気接続部と接続される電気接続部が設けられると共に、外部と情報信号の送受信を行う端子部が設けられたスタンド部とを備える。そして、上記スタンド部は、上記ドライブ部の一部を挟み込むように支持する支持溝を有し、上記支持溝内に、上記ドライブ部の電気接続部に接続される上記電気接続部が設けられている。上記スタンド部の電気接続部は、上記ドライブ部の電気接続部に電気的に接続される接続部材と、この接続部材が設けられる移動部材と、上記移動部材が上記ドライブ部の挿入方向に移動可能に取り付けられる取付部とを有する。
【発明の効果】
【００１３】
本発明によれば、電気機器を装着したとき、互いの電気接続部の電気的接続を図ることができると共に、移動部材が移動することで、電気接続部に負荷を加えることなく、挿抜を行うことができる。また、電気機器と接続される接続部材が設けられた移動部材が移動することで、支持溝内の電気機器を支持する支持部と電気接続部との距離も短くすることができ、スタンド装置の小型化を図ることができる。
【発明を実施するための最良の形態】
【００１４】
以下、本発明を適用したスタンド装置が用いられる再生システムについて図面を参照して説明する。
【００１５】
図１に示すように、この再生システム１は、光ディスクの再生をするディスクドライブ装置２と、このディスクドライブ装置２で再生された映像信号を表示する表示装置３と、ディスクドライブ装置２及び表示装置３に電力を供給する電源装置４と、図２に示すように、ディスクドライブ装置２を支持するスタンド装置５とを備える。更に、このシステム１は、ディスクドライブ装置２と表示装置３とを接続するものとして接続コード６を備える。
【００１６】
このシステム１では、スタンド装置５にディスクドライブ装置２で再生された情報信号をテレビジョン受像器等のモニタに出力するための出力アダプタが内蔵されており、従来のように、出力アダプタの着脱操作は不要である。この再生システム１は、映像信号、音声信号等の情報信号を記録したコンパクトディスク、ディジタル・バーサタイル・ディスク等の光ディスクをディスクドライブ装置２で再生することができ、携帯型のディスクドライブ装置２とこのディスクドライブ装置２と表示装置３とを接続コード６で接続した表示装置３とを持ち出すことで、屋外でも表示装置３で光ディスクに記録された映像信号や音声信号を視聴することができる。また、このシステム１では、ディスクドライブ装置２をスタンド装置５に装着してディスクドライブ装置２とスタンド装置５とを電気的に接続し、更に、スタンド装置５とテレビジョン受像器等の据え置き型のモニタと有線又は無線で接続することによって、光ディスクに記録された情報信号を視聴することができる。
【００１７】
すなわち、このシステム１を屋外で使用するときには、ディスクドライブ装置２に電源装置４を装着し、更に、接続コード６を用いてディスクドライブ装置２と表示装置３とを接続することで、表示装置３で光ディスクに記録された情報信号を視聴することができ、また、このシステム１を屋内で使用するときには、ディスクドライブ装置２より表示装置３と接続する接続コード６を取り外し、接続コード６を取り外したディスクドライブ装置２をスタンド装置５に装着してディスクドライブ装置２とスタンド装置５とを接続し、更に、スタンド装置５と屋内に設置された例えば大型モニタに接続することによって、ディスクドライブ装置２で再生する光ディスクに記録された情報信号を大型モニタで視聴することができる。
【００１８】
図１、図３及び図４に示すように、このシステム１で用いるディスクドライブ装置２は、光ディスクと略同じ大きさの円形部１１ｂに突出部１１ａが設けられたシェル形状をなす装置本体１１と、この装置本体１１の上面に設けられた円形の凹陥部からなるディスク収納部１２を開閉する蓋体１３と、この蓋体１３を閉じた状態でロックするロック部材１４等を備える。
【００１９】
ディスクドライブ装置２は、ディスク収納部１２の中央部に配置されたディスク回転駆動部となるディスクテーブル１５、このディスクテーブル１５に装着された光ディスクに光ビームを照射し、光ディスクで反射した戻りの光ビームを検出する光ピックアップ１６等を備えている。ディスクテーブル１５は、ベース１７の裏面に固定されたスピンドルモータのスピンドルに一体的に取り付けられ、中央部に突出したセンタリング部１５ａに光ディスクのセンタ孔が係合することによって、光ディスクを例えば線速度一定に回転することができるように支持する。
【００２０】
光ピックアップ１６は、ベース１７に固定された一対のガイド軸にスライド可能に支持されている。光ピックアップ１６は、光源となる半導体レーザ、半導体レーザより出射された光ビームを集光する対物レンズ１６ａ、光ディスクで反射された戻りの光ビームを検出する光検出器等を備える。光ピックアップ１６は、光ディスクに光ビームを照射し光ディスクで反射された戻りの光ビームを検出することによって、光ディスクに記録された情報信号の読み出しを行う。
【００２１】
装置本体１１の上面に重ね合わされる蓋体１３の外周縁には、周方向に連続して下面側に突出する側壁部１８が設けられている。そして、蓋体１３の突出部１９には、下面側に突出する一対のアーム片２１，２１が設けられている。各アーム片２１は、突出部１９が重ね合わされる突出部１１ａを貫通して装置本体１１の内部に挿入され、その先端部が支軸２２によって回動自在に支持され、蓋体１３は、装置本体１１のディスク収納部１２を閉塞する。詳細は省略するが、蓋体１３は、蓋体１３に設けられた蓋開閉検出片によって装置本体１１の蓋開閉スイッチが操作され、蓋体１３を閉じた状態が検出される。
【００２２】
また、図示しないが、装置本体１１には蓋体１３の一方のアーム片２１に関連して、蓋体１３を任意の開閉角度において保持することができる蓋体姿勢保持機構が設けられている。この蓋体姿勢保持機構は、蓋体１３の回動操作に伴って所定の摩擦力を付与することにより所定の力で蓋体１３を円滑に開閉操作できるようにすると共に、任意の開閉位置においてその開閉角度を保持することができるようにする。このような蓋体姿勢保持機構としては、例えば、アーム片２１と装置本体１１側の部材との間に適当な大きさの摩擦力を発生する摩擦摺動機構やダンパ装置等を適用することができる。
【００２３】
更に、装置本体１１の前面部に設けられたロック部材１４は、蓋体１３の自由端側に設けられた係合片２０に係合され、蓋体１３がディスク収納部１２を閉塞した状態を保持する。
【００２４】
装置本体１１の側面部には、表示装置３と接続するための接続コード６の一端に設けられたプラグ５１が接続される第１のコネクタ２３が設けられ、更に、底面側に設けられた凹部２４ａにスタンド装置５に設けられたプラグが接続される第２のコネクタ２４が設けられている。更に、装置本体１１の側面部には、イヤホンジャック２５、充電ランプ２６、電源ランプ２７が設けられると共に、再生釦、ボリュームスイッチ等の操作部２８が設けられている。
【００２５】
なお、ディスクドライブ装置２は、光ディスクの再生機能の他、記録機能を有していてもよい。
【００２６】
このような構成を有するディスクドライブ装置２には、図１に示すように、電源装置４が着脱自在に装着される。電源装置４は、図１に示すように、リチウムイオン二次電池等からなる電池素子３７を複数収納する第１の電池ケース３１及び第２の電池ケース３２を有し、両電池ケース３１，３２は互いに回動自在に連結されている。各電池ケース３１，３２は、それぞれ長方形をなす平板状であり、その平面形状は略同一形状とされているが、長手方向は、第１の電池ケース３１よりも第２の電池ケース３２の方が長く形成されている。両電池ケース３１，３２の幅は、装置本体１１の突出部１１ａ及び蓋体１３の突出部１９の幅よりも少々広く設定されている。
【００２７】
各電池ケース３１，３２の長手方向の一端部には、それぞれ幅方向の両側に突出する連結部３３，３４が設けられている。上下の電池ケース３１，３２は、互いの連結部３３，３４を連結することによって回動自在とされて一体に構成されている。これにより、電源装置４は、電池ケース３１，３２を、各先端部が互いに近接離間する方向に回動することができる。例えば、ケース３１，３２は、上下方向へ所定の隙間を開けて略平行とされる閉じた状態と、下電池ケース３２に対して上電池ケース３１を任意角度（例えば、４５度や６０度等）傾斜させた開いた状態とを取ることができる。
【００２８】
この上下の電池ケース３１，３２間の所定の隙間はディスクドライブ装置２の厚みであり、上下の電池ケース３１，３２間にディスクドライブ装置２が挿入される。このように挿入されたディスクドライブ装置２の位置決めをなすために、上電池ケース３４の先端部には、係合凹部３５が設けられている。この係合凹部３５に対応して蓋体１３には、断面Ｌ字状をなす係合片３６が設けられている。この係合片３６は、係合凹部３５を係合することにより、蓋体１３に対する上電池ケース３４の位置決めと、蓋体１３及び第１の電池ケース３１間の結合とを同時に行うことができる。なお、第２の電池ケース３２は、装置本体１１の下面にねじ等で固定される。したがって、ディスクドライブ装置２は、電源装置４が装着された状態であっても、第１の電子ケース３１が蓋体１３と共に回動することで、ディスク収納部１２の開閉を行うことができる。
【００２９】
ディスクドライブ装置２で再生された情報信号を表示する表示装置３は、図１に示すように、キャビネット４１と、表示部なる液晶ディスプレイ４２と、この液晶ディスプレイ４２を開閉する蓋体である開閉蓋４３と、各種形式のスイッチ手段や調節手段等からなる操作部４４等を備えている。キャビネット４１は、略矩形をなし、一方の主面に、液晶ディスプレイ４２を外部に臨ませる開口部４５が形成されていると共に、操作部４４が設けられている。操作部４４は、再生、早送り及び巻戻しの基本操作を選択的に行うことができる基本操作スイッチ等で構成されている。また、この開閉蓋４３は、ヒンジ部４６によってキャビネット４１に回動可能に取り付けられ、非使用時、液晶ディスプレイ４２や操作部４４が設けられた主面を閉塞することによって、これらを保護するようにしている。この開閉蓋４３は、例えば表示面に対して最大で略３６０回動させることができる。そして、略３６０度回動させて開閉蓋４３を背面側に移動させることにより、この開閉蓋４３をキャビネット４１のスタンドとして用いることができる。表示装置３は、液晶ディスプレイ４２として例えば３．５インチのＴＦＴ（Thin Film Transistor）液晶モニタを使用し携帯可能な大きさまで小型化され、更に、操作部４４を設け、操作釦等を集中させることで、本システム１の操作性の向上を図ることができるようにしている。
【００３０】
キャビネット４１の操作部４４側の下部には、表示装置３をディスクドライブ装置２と接続するための接続コード６の一端が接続されている。この接続コード６の他端には、ディスクドライブ装置２と接続するためのプラグ５１が一体的に取り付けられている。このプラグ５１は、ディスクドライブ装置２を構成する装置本体１１の側面部に設けられた第１のコネクタ２３に接続される。ディスクドライブ装置２と表示装置３とは、接続コード６によって接続され、ディスクドライブ装置２は、再生した情報信号を表示装置３に出力し、表示装置３に表示させることができ、また、表示装置３は、操作部４４が発生した操作信号をディスクドライブ装置２に入力することができる。
【００３１】
ところで、ディスクドライブ装置２を支持するスタンド装置５は、図２に示すように、机等に設置される台座部６１にディスクドライブ装置２を支持する支持部６２が設けられたスタンド本体６０を有する。このスタンド装置５の内部には、テレビジョン受像器等のモニタにディスクドライブ装置２で再生した情報信号を出力するための出力アダプタが内蔵されており、図５に示すように、音声信号を出力するための音声出力端子６３、映像信号を出力するための映像出力端子６４、外部電源より電力を供給するための電源端子６５、光通信を行うための光端子６６等が設けられている。
【００３２】
支持部６２には、ディスクドライブ装置２の周縁部を挟み込むようにして支持する支持溝６７が形成されている。支持溝６７は、図５に示すように、ディスクドライブ装置２の装置本体２１１の円形部１１ｂの外周部を挟み込むことができるように両端が開口された溝であり、具体的には、ディスクドライブ装置２に装着された電源装置４の周縁部を支持する第１の支持部６８ａ，６８ｂが設けられ、その外側に、装置本体１１の外周縁を支持する第２の支持部６９ａ，６９ｂが形成されている。第１及び第２の支持部６８ａ，６８ｂ，６９ａ，６９ｂは、ディスクドライブ装置２を挟み込むことで支持溝６７に支持する。なお、第２の支持部６９ｂは、ディスクドライブ装置２の取り外しを図７中矢印Ａ方向に行うときの回動支点部となる部分であり、ディスクドライブ装置２の回動を容易にするため、内外に亘って変位する弾性片７０の頂部に形成されている。
【００３３】
図６に示すように、支持溝６７は、支持溝６７を構成する側壁の開口端近傍と底面近傍に相対向して、第３及び第４の支持部７１ａ，７１ｂ，７２ａ，７２ｂとが形成されている。第３及び第４の支持部７１ａ，７１ｂ，７２ａ，７２ｂは、ディスクドライブ装置２を挟み込むように支持し、支持溝６７に対して直交する図６中矢印Ｘ方向の規制を行う。
【００３４】
支持溝６７には、図７及び図８に示すように、ディスクドライブ装置２の装置本体１１に設けられた第２のコネクタ２４に接続される接続部材となるプラグ７４と、このプラグ７４が取り付けられる移動部材７５と、プラグ７４が設けられた移動部材７５が取り付けられる取付部７６とが設けられている。
【００３５】
プラグ７４が取り付けられる移動部材７５は、内部に、プラグ７４が実装されるプリント配線基板７７が配設される略矩形の基体部７８を有し、基体部７８からは、プリント配線基板７７に実装されたプラグ７４が外部に臨まされている。なお、プラグ７４が実装されたプリント配線基板は、フレキシブル基板を介してスタンド装置５に内蔵されたリジッドなプリント配線基板に接続されている。また、基体部７８には、ガイド軸７９が外側に向かって形成され、更に、プラグ７４とは反対側に規制片８１が形成されている。また、基体部７８には、プラグ７４とは反対側に、移動部材７５の位置を規制する係合段部８０が形成されている。
【００３６】
以上のような移動部材７５が取り付けられる取付部７６は、移動部材７５を、ディスクドライブ装置２が支持溝６７に対して着脱可能な図７及び図８中矢印Ｙ方向及び反矢印Ｙ方向に移動可能に収納する空間部であり、相対向する側壁に、移動部材７５のガイド軸７９が係合されるガイド溝８２が形成されている。ガイド溝８２は、長軸を図７及び図８中矢印Ｙ方向及び反矢印Ｙ方向とした長孔で形成されている。
【００３７】
取付部７６には、ディスクドライブ装置２の第２のコネクタ２４とプラグ７４が接続されていると共に移動部材７５の係合段部８０と係合する係合凹部８３が形成されている。更に、この係合凹部８３の底面には、更に、窪んで基体部７８に形成された規制片８１が挿入される挿入溝８４が形成されている。係合凹部８３の端面は、基体部７８の係合段部８０と係合することによって、ディスクドライブ装置２の第２のコネクタ２４とプラグ７４とが接続されたときの移動部材７５の位置を規制する。挿入溝８４には、相対向する面に、互いに内方に突出して規制突部８５が形成されている。規制突部８５は、規制片８１に突き当たることで、移動部材７５の図８中矢印Ｘ方向の変位を防止する。
【００３８】
以上のようなスタンド装置５にディスクドライブ装置２を装着するには、ディスクドライブ装置２の第２のコネクタ２４がスタンド装置５のプラグ７４に対して略垂直に差し込まれるように、支持溝６７にディスクドライブ装置２の円形部１１ｂが差し込まれる。そして、スタンド装置５のプラグ７４には、ディスクドライブ装置２の第２のコネクタ２４がディスクドライブ装置２の重さによって第２のコネクタ２４が差し込まれる。また、プラグ７４に対してディスクドライブ装置２の第２のコネクタ２４がやや傾いた状態で支持溝６７にディスクドライブ装置２の円形部１１ｂが差し込まれたときであっても、移動部材７５がガイド軸７９を中心に図７中矢印Ｚ方向及び反矢印Ｚ方向に傾くことによって、ディスクドライブ装置２の第２のコネクタ２４とスタンド装置５のプラグ７４とが互いに平行な状態で対峙し、第２のコネクタ２４にプラグ７４が差し込まれることになる。
【００３９】
スタンド装置５にディスクドライブ装置２が装着されているとき、ディスクドライブ装置２の装置本体１１は、スタンド装置５の支持溝６７に挿入されている。すなわち、ディスクドライブ装置２の装置本体１１は、支持溝６７に設けられた第１及び第２の支持部６８ａ，６８ｂ，６９ａ，６９ｂによって支持され、更に、第３及び第４の支持部７１ａ，７１ｂによって、ディスクドライブ装置２の厚さ方向である図６中矢印Ｘ方向の揺れが規制された状態にある。
【００４０】
このときのディスクドライブ装置２とスタンド装置５との接続について説明すると、図７及び図８に示すように、移動部材７５は、図７及び図８中反矢印Ｙ方向に移動した状態にあり、係合段部８０が係合凹部８３に係合し位置規制されおり、更に、挿入溝８４に挿入された規制片８１も、規制突部８５により規制されていることで、第２のコネクタ２４とプラグ７４との接続部分に余分が負荷が加わらないようにしている。すなわち、移動部材７５は、係合段部８０が係合凹部８３に係合することで、図７中矢印Ｚ方向及び反矢印Ｚ方向の位置規制が図られ、更に、規制片８１も、規制突部８５により図８中Ｘ方向の傾きが規制されている。
【００４１】
ディスクドライブ装置２をスタンド装置５から取り外すとき、ディスクドライブ装置２は、第４の支持部６９ｂを回動支点部として、図５及び図７中矢印Ａ方向に回動される。すると、ディスクドライブ装置２の第２のコネクタ２４と接続されたプラグ７４が設けられた移動部材７５は、ディスクドライブ装置２の回動に伴って、引き上げられ、ガイド軸７９が係合されたガイド溝８２に従って図７中矢印Ｙ方向に移動し、移動部材７５が傾き係合段部８０が係合凹部８３より離脱する。このとき、移動部材７５は、ガイド軸７９を中心にディスクドライブ装置２の回動方向と同方向の図５及び図７中矢印Ｚ方向に回動する。そして、基体部７８のガイド軸７９がガイド溝８２の図７中矢印Ａ方向の端部に突き当たると、移動部材７５は、更に図７中矢印Ａ方向に移動することはできなくなり、プラグ７４が第２のコネクタ２４から引き抜かれることになる。このとき、移動部材７５は、規制片８１が挿入溝８４に挿入されることで傾きが規制されていることから、第２のコネクタ２４に対してプラグ７４が傾き過ぎることを防止し、更に、規制片８１と挿入溝８４とで傾きが規制された範囲内でディスクドライブ装置２の回動方向にガイド軸７９を中心に回動することで、第２のコネクタ２４とプラグ７４に過剰な負荷が加わることを防止し、保護することができる。
【００４２】
なお、ディスクドライブ装置２の外周面に凹部を設け、凹部に第１及び第２の支持部６８ａ，６８ｂ，６９ａ，６９ｂが係合するようにして、ディスクドライブ装置２の取り外し時における回動支点部がずれないようにして、第２のコネクタ２４とプラグ７４の保護を更に図るようにしてもよい。
【００４３】
スタンド装置５にディスクドライブ装置２が装着された状態では、スタンド装置５のプラグ７４がディスクドライブ装置２の第２のコネクタ２４に接続され、更に、スタンド装置５の各端子６３〜６６と据え置き型のモニタとを接続することによって、ディスクドライブ装置２で再生した光ディスクに記録された映像信号等を表示し、更に音声信号等を可聴音で放音することができる。
【００４４】
以上のような再生システム１では、スタンド装置５に出力アダプタを内蔵するようにし、モニタとの接続をスタンド装置５で行うようにしたので、従来のような出力アダプタを無くすことができ、構成部品を減らすことができる。そして、ユーザは、従来のようなディスクドライブ装置２に対する出力アダプタの着脱作業を行う必要が無くなり、操作性の向上を図ることができる。
【００４５】
更に、以上のようなスタンド装置５では、取付部７６内で移動可能な移動部材７５にプラグ７４を設けるようにしたので、プラグ７４と第２のコネクタ２４との接続部分と回動支点部との距離を短くし、スタンド本体６０の小型化を図ることができる。また、スタンド装置５は、プラグ７４と第２のコネクタ２４との接続部分と回動支点部との距離を短くしても、移動部材７５がスタンド装置５からディスクドライブ装置２を取り外すときに移動することから、プラグ７４や第２のコネクタ２４に加わる負荷を軽減することができる。
【００４６】
なお、移動部材７５は、挿入溝８４に、規制片８１に取り付けた移動部材７５の押し上げ部材となるコイルバネ８６を配設するようにし、常に、図９中矢印Ｙ方向に付勢しておくようにしてもよい。これにより、スタンド装置５にディスクドライブ装置２が装着されていないとき、移動部材７５に設けられたプラグ７４が常に支持溝６７から突出する方向に移動していることになる。したがって、ディスクドライブ装置２をスタンド装置５に装着するとき、支持溝６７から突出する方向に移動したプラグ７４に対して、ディスクドライブ装置２の第２のコネクタ２４を接続しやすくなる。そして、ディスクドライブ装置２がスタンド装置５に装着されると、移動部材７５は、ディスクドライブ装置２の重さによって、コイルバネ８６の付勢力に抗して反矢印Ａ方向に移動し、第２のコネクタ２４に対してプラグ７４が接続されることになる。また、ディスクドライブ装置２をスタンド装置５から取り外すときの力もコイルバネ８６の付勢力が助力となり、小さくすることができ、操作性の向上を図ることができる。
【００４７】
なお、以上の例では、ディスクドライブ装置２をスタンド装置５に着脱する例を説明したが、スタンド装置５に着脱される電気機器としては、ディスクドライブ装置２の他、磁気ディスク、テープカセット、光磁気ディスク等のドライブ装置であってもよく、更に、携帯型の情報端末等であってもよい。
【図面の簡単な説明】
【００４８】
【図１】本発明を適用した再生システムの斜視図である。
【図２】上記再生システムに用いるディスクドライブ装置がスタンド装置に装着された状態を示す斜視図である。
【図３】上記ディスクドライブ装置の蓋体がディスク収納部を開放した状態を示す斜視図である。
【図４】上記ディスクドライブ装置の蓋体がディスク収納部を閉塞した状態を示す斜視図である。
【図５】スタンド装置にディスクドライブ装置が装着された状態を示す側面図である。
【図６】スタンド装置にディスクドライブ装置が装着された状態を示す背面図である。
【図７】ディスクドライブ装置の第１のコネクタにスタンド装置のプラグが接続される状態を示す正面図である。
【図８】ディスクドライブ装置の第１のコネクタにスタンド装置のプラグが接続される状態を示す側面図である。
【図９】スタンド装置の他の例を説明する正面図である。
【図１０】本発明の前提となるスタンド装置を説明する側面図である。
【図１１】本発明の前提となる更に他のスタンド装置を説明する側面図である。
【符号の説明】
【００４９】
１  再生システム、２  ディスクドライブ装置、３  表示装置、４  電源装置、５  スタンド装置、１１  装置本体、２３  第１のコネクタ、２４  第２のコネクタ、６１  台座部、６２  支持部、６７  支持溝、７４  プラグ、７５  移動部材、７６  取付部、７９  ガイド軸、８０  係合段部、８１  規制片、８２  ガイド溝、８３係合凹部、８４  挿入溝、８５  規制突部
【図１】
2005135492.tif 000003
【図２】
2005135492.tif 000004
【図３】
2005135492.tif 000005
【図４】
2005135492.tif 000006
【図５】
2005135492.tif 000007
【図６】
2005135492.tif 000008
【図７】
2005135492.tif 000009
【図８】
2005135492.tif 000010
【図９】
2005135492.tif 000011
【図１０】
2005135492.tif 000012
【図１１】
2005135492.tif 000013